(57)【要約】【課題】分離携帯型の情報処理装置において、入力部への入力操作が手書きによるものかタップによるものかを識別して入力操作の検出周期を制御することで、入力部における操作性の向上を実現することができる。【解決手段】入力部１０は、無線通信処理部１１と、入力検出部１２と、検出周期制御部１３と、表示制御部１４と、受信データ処理部１５と、記憶部１６と、タッチパネル２０とを備え、本体部５０は、無線通信処理部５１と、入力状態判定部５２と、受信データ処理部５３と、演算部５４と、表示監視部５５と、記憶部５６とを備え、入力状態判定部５２は、入力部１０における入力操作がタップによるものか手書きによるものかを判定し、検出周期制御部１３は、入力状態判定部５２の判定結果にもとづき入力操作の検出周期を短い周期と長い周期とで切り換える。【選択図】図２
2006154904.tif 000002
【特許請求の範囲】
【請求項１】
本体部と、前記本体部に無線接続されユーザーからのタップによる入力および手書きによる入力のいずれの入力操作も受付ける入力機能と画像の表示機能とを兼備するタッチパネルを有する入力部とによって構成された分離携帯型の情報処理装置において、
前記本体部は、前記入力部における入力操作が手書きによるものかタップによるものかを判定する入力状態判定部を備え、
前記入力部は、前記入力状態判定部の判定結果にもとづいて前記タッチパネルへの入力を検出する周期を切り換えることを特徴とする分離携帯型の情報処理装置。
【請求項２】
前記入力部は、前記入力状態判定部が手書きによる入力操作であると判定した場合は前記入力を検出する周期を短い周期に切り換え、前記入力状態判定部がタップによる入力操作であると判定した場合は前記入力を検出する周期を長い周期に切り換えることを特徴とする請求項１記載の分離携帯型の情報処理装置。
【請求項３】
ユーザーからの入力操作を検出するステップと、
前記入力操作が手書きによるものかタップによるものかを判定するステップと、
前記入力操作が手書きによるものであると判定された場合は、前記ユーザーからの入力を検出する周期を短い周期に切り換えるステップと、
前記入力操作がタップによるものであると判定された場合は、前記ユーザーからの入力を検出する周期を長い周期に切り換えるステップと
を備えたことを特徴とする分離携帯型の情報処理装置の制御方法。
【発明の詳細な説明】
【技術分野】
【０００１】
本発明は、手書き入力機能を備えた分離携帯型の情報処理装置およびその制御方法に関する。
【背景技術】
【０００２】
近年、携帯型の情報処理装置の普及は著しく、様々な分野でその使用が拡大してきている。
【０００３】
一方で、携帯型の情報処理装置では、携帯性を向上させるために装置自身をできるだけ小型化せねばならず、そういった設置面積上の制約からそれぞれの部品もその大きさを制限される。たとえば、高性能のＣＰＵは消費電力が大きく発熱量が大きいため、放熱構造や大きな電源を必要とし、携帯型の情報処理装置に用いることは難しい。また、光や磁気による大容量の記憶装置も同様の理由で搭載することが難しい。したがって、携帯型の情報処理装置は、高性能のＣＰＵや大容量の記憶装置を搭載した設置型の情報処理装置に比べて処理能力が低いのが通常であった。
【０００４】
そのような課題を解決するために、大容量の記憶装置および処理能力の高いＣＰＵを備えたデータ処理部と、入力装置および処理能力の低いＣＰＵを備えた表示部の２つに情報処理装置を分離し、データ処理部と表示部とを無線によって接続することにより表示部を携帯可能として、携帯性と処理能力とを両立した分離携帯型の情報処理装置に関する技術が提案されている（たとえば、特許文献１を参照）。
【特許文献１】特開２００２−１１６９０５号公報
【発明の開示】
【発明が解決しようとする課題】
【０００５】
携帯型の情報処理装置では、上述したように、個々の部品を小さくするなどして、できるだけ装置の携帯性を向上することが望まれている。そのような要望に応えるため、いわゆるタッチパネルなどの部品を用い表示機能と入力機能とを一体化した構成として省スペース化を図ったものが一般に知られている。このような構成の場合、専用のペンや指などでタッチパネル表面を押さえる、あるいはなぞることで入力操作を行う。
【０００６】
たとえば文字情報を入力する場合、タッチパネルに一般のキーボードと同様に文字を配列して表示し、それらの文字の上を専用のペンまたは指で押さえることで入力（以下、「タップ」と略記する）する場合と、タッチパネル表面を入力したい文字の形状に専用のペンまたは指でなぞることでその文字を入力（以下、「手書き入力」と略記する）する場合とがある。タップによるデータ入力では、タッチパネル上のあらかじめ定められた場所を押さえることでデータを入力するため、扱わなければならない情報量は比較的少なくてすむ。一方、手書き入力ではタッチパネル表面をなぞることでデータ入力するので、扱わなければならない情報量はタップに比べて多くなるが、たとえば、署名などの特定の個人によって入力されたことを証明することができるデータの入力も可能である。したがって、たとえば、荷物の配達業者が運搬先で荷物の受け取りの証明に携帯型の情報処理装置に手書き入力によって署名をもらうなどの用途に用いることができる。
【０００７】
しかしながら、上述した従来技術による分離携帯型の情報処理装置においては、データ処理部と表示部とを無線によって接続することで複雑な処理を行うことが可能にはなったが、送信側は送信する情報を一旦無線通信可能な信号に変換し、無線による送信後、受信側では受信した信号を再度元の情報に戻すといった処理が必要となるため、情報の通信量が制限されてしまう。したがって、上述した従来技術に手書き入力などの伝送すべき情報量が多いデータ入力方法を導入すると、無線通信の大部分を手書き入力によって発生するデータが占め、それ以外のデータの送信量が少なくなるため、たとえば表示部に表示するための画像データを送信するのに時間がかかり操作性が低下するなどの問題があった。
【０００８】
本発明はこのような課題に鑑みてなされたもので、分離携帯型の情報処理装置において、入力部への入力が手書きによるものかタップによるものかを識別して入力検出の周期を制御することで、入力部における操作性の向上を図った分離携帯型の情報処理装置およびその制御方法を提供することを目的とする。
【課題を解決するための手段】
【０００９】
本発明の分離携帯型の情報処理装置は、本体部と、本体部に無線接続されユーザーからのタップによる入力および手書きによる入力のいずれの入力操作も受付ける入力機能と画像の表示機能とを兼備するタッチパネルを有する入力部とによって構成された分離携帯型の情報処理装置において、本体部は、入力部における入力操作が手書きによるものかタップによるものかを判定する入力状態判定部を備え、入力部は、入力状態判定部の判定結果にもとづいてタッチパネルへの入力を検出する周期を切り換えることを特徴とする。
【００１０】
この構成により、入力部における操作性を向上させることが可能となる。
【００１１】
また、入力部は、入力状態判定部が手書きによる入力操作であると判定した場合は入力を検出する周期を短い周期に切り換え、入力状態判定部がタップによる入力操作であると判定した場合は入力を検出する周期を長い周期に切り換える構成としてもよい。この構成によれば、入力操作が手書きによる場合は入力を検出する周期を短くすることで入力の検出精度を上げ、入力操作がタップによる場合は入力を検出する周期を長くすることで単位時間当たりの入力の検出量を少なくして検出処理以外の処理の比重を上げて、入力部における操作性を向上させることが可能となる。
【００１２】
また、本発明の分離携帯型の情報処理装置の制御方法は、ユーザーからの入力操作を検出するステップと、入力操作が手書きによるものかタップによるものかを判定するステップと、入力操作が手書きによるものであると判定された場合は、ユーザーからの入力を検出する周期を短い周期に切り換えるステップと、入力操作がタップによるものであると判定された場合は、ユーザーからの入力を検出する周期を長い周期に切り換えるステップとを備えたことを特徴とする。この方法によれば、入力操作が手書きによる場合は入力を検出する周期を短くすることで検出の精度を上げ、入力操作がタップによる場合は入力を検出する周期を長くすることで単位時間当たりの検出量を少なくして検出処理以外の処理の比重を上げて、入力操作性を向上させることが可能となる。
【発明の効果】
【００１３】
本発明によれば、分離携帯型の情報処理装置において、入力部への入力が手書きによるものかタップによるものかを識別して入力を検出する周期を制御することで、操作性の向上を図った分離携帯型の情報処理装置およびその制御方法を提供することができる。
【発明を実施するための最良の形態】
【００１４】
以下、本発明の実施の形態について、図面を用いて詳細に説明する。
【００１５】
（実施の形態１）
本発明の分離携帯型の情報処理装置について、図１を用いて説明する。図１は、本発明の実施の形態１における分離携帯型の情報処理装置１００の外観図である。この分離携帯型の情報処理装置１００は、本体部５０と入力部１０とが無線による情報通信手段によって接続されて構成されている。
【００１６】
入力部１０には表示機能と入力機能とを備えたタッチパネル２０が設けられている。タッチパネル２０は、タッチパネル２０専用の入力ペン９０によって押圧されたタッチパネル２０表面の座標（ｘ、ｙ）を検出し、タップされた場合はその（ｘ、ｙ）座標またはその座標に割り当てられた実行命令（以下、「コマンド」と略記する）を、なぞられた場合はなぞられた位置に相当する連続した（ｘ、ｙ）座標を検出する（以下、これら検出の動作を「入力検出」と略記し、検出された（ｘ、ｙ）座標またはコマンドを「検出データ」と略記する）。タッチパネル２０における検出データは、無線通信によって本体部５０に送信される。本体部５０では、入力部１０から送信された無線信号を受信し、そのデータをもとに返信データを作成する。そして、作成された返信データは再度無線によって入力部１０に送信される。この無線通信は、たとえば送信したい信号を一旦無線送信が可能な信号に変換し、その後、赤外線や電波などの電磁波を利用して通信する方法などこれまで一般に知られている方法を用いて実現することができる。また、タッチパネル２０は、たとえば、表示装置としての液晶ディスプレイを入力装置としての透明な感圧式のスクリーンで覆うなどこれまで一般に知られた技術によって形成することができる。
【００１７】
図２は、本発明の実施の形態１における分離携帯型の情報処理装置１００に備えられた本体部５０および入力部１０の構成を示すブロック図である。
【００１８】
入力部１０は、無線通信処理部１１と、入力検出部１２と、検出周期制御部１３と、表示制御部１４と、受信データ処理部１５と、記憶部１６と、タッチパネル２０とを備えている。また、入力検出部１２と検出周期制御部１３と表示制御部１４と受信データ処理部１５とは、それぞれの機能がソフトウェアで実現可能に記述され、そのソフトウェアをＣＰＵ１９上で実行することによってそれぞれの動作が実現される構成としている。
【００１９】
入力部１０において、無線通信処理部１１は、上述したようにこれまで一般に知られている方法を用い、本体部５０から無線送信されてくる無線信号を受信してもとの信号に変換し、または、入力部１０から本体部５０に送信する信号を無線信号に変換して無線送信する。本体部５０から無線送信されてくる信号には、タッチパネル２０に表示する画像データおよびタッチパネル２０の押圧されている位置情報、すなわち（ｘ、ｙ）座標を検出する周期を切り換える「検出周期切り換えデータ」が含まれている。また、入力部１０から本体部５０に送信する信号には、ユーザーによって入力された実行命令（コマンド）に関するデータが含まれている。
【００２０】
タッチパネル２０は、表示機能と入力機能の２つを備えている。入力機能としては、タッチパネル２０専用の入力ペン９０によって押圧されたタッチパネル２０の（ｘ、ｙ）座標を表す電気信号を出力する。なお、タッチパネル２０における入力の感知は、圧力の変化を感知する感圧式であってもよく、静電気による電気信号を感知する静電式であってもよい。また、表示機能としては、表示制御部１４から送られてくる画像データにもとづき画像を表示する。
【００２１】
受信データ処理部１５は、無線通信処理部１１において受信されたデータを受け取り、受け取ったデータをその内容に応じて表示制御部１４と検出周期制御部１３とに振り分ける。たとえば、タッチパネル２０に表示するための画像データであれば表示制御部１４へ送り、検出周期切り換えデータであれば検出周期制御部１３へ送る。
【００２２】
表示制御部１４は、受信データ処理部１５から送られてくる画像データをタッチパネル２０に表示可能なデータ形式へと変換し、タッチパネル２０に表示する。
【００２３】
検出周期制御部１３は、受信データ処理部１５から送られてくる検出周期切り換えデータにもとづき、入力検出部１２によるタッチパネル２０の入力検出の周期を設定する。このとき検出周期切り換えデータが「１」であれば入力検出の周期を５ｍ秒に設定し、「０」であれば５０ｍ秒に設定する。
【００２４】
入力検出部１２は、検出周期制御部１３において設定された検出周期でタッチパネル２０から出力される（ｘ、ｙ）座標を表す電気信号を、検出周期制御部１３によって設定された検出周期切り換えデータにもとづいて検出する。そして検出周期切り換えデータが「１」であれば５ｍ秒の（短い）周期で検出を行い、「０」であれば５０ｍ秒の（長い）周期で検出を行う。これにより、入力部１０は、入力検出の周期を短くし連続した（ｘ、ｙ）座標を検出することができる入力検出の精度を重視した動作モードと、入力検出の周期を長くし画像の表示に関する処理や無線送信の処理を重視した動作モードとを切り換えて動作させることができる。
【００２５】
たとえば、タッチパネル２０への入力が手書き入力であれば、手書きされた文字や図形の読み取り精度を上げるため、入力検出の周期をできるだけ短くした方がよい。しかし、入力検出の周期を短くすると、単位時間当たりの検出データ量が増え、そのため、入力検出に関する処理量が増えて、たとえばタッチパネル２０に表示すべき画像データを処理するのに時間がかかるなどの、入力検出以外の処理が遅くなってしまう。そのため、たとえば画像の表示のタイミングが遅れたり、あるいは画像データの処理量の少ない簡単な画像しか表示できないなどの問題が発生する。また、単位時間当たりの検出データ量が増えることで、本体部５０に送信する無線信号に占める検出データの割合が増え、その他のデータを送信するタイミングが遅れるなどの問題も発生する。一方、タップによる入力のときは、複数のコマンドがそれぞれ異なる位置にある画像をタッチパネル２０に表示し、所望のコマンドが表示されたタッチパネル２０表面をタップすることでそのコマンドの入力を行う構成であるので、読み取り位置などを手書き入力のように高い精度で検出する必要はない。
【００２６】
すなわち、タッチパネル２０への入力が手書き入力であれば、後述する本体部５０の判断によって検出周期切り換えデータを「１」にし、５ｍ秒の短い周期で入力検出を行うことで、タッチパネル２０表面のなぞられた位置に相当する連続した（ｘ、ｙ）座標を、精度を高めて検出する。また、タッチパネル２０への入力がタップによる入力であれば、後述する本体部５０の判断によって検出周期切り換えデータを「０」にし、５０ｍ秒の長い周期で入力検出を行う。こうすることで、単位時間当たりの検出データ量を少なくし、入力検出以外の処理、たとえば画像の表示に関する処理などの比重を高めることができる。このように、タップによる入力か手書きによる入力かによって入力検出の周期を切り換えることで、入力部１０における操作性を向上させている。なお、入力検出部１２は、所定の（ｘ、ｙ）座標にコマンドが割り当てられている場合は、（ｘ、ｙ）座標をそのコマンドに置き換えて出力する構成としてもよい。
【００２７】
また、入力検出部１２では、検出データをその前に検出された検出データと比較し、前回の検出データから今回の検出データが変化していた場合は今回の検出データを、変化していなかった場合は変化していないことを表すデータを無線通信処理部１１に出力して、本体部５０に無線送信する。こうすることで、無線送信するデータ量を削減している。また、検出データは次回の検出データと比較するために一時的に記憶部１６に記憶される。
【００２８】
なお、本発明の実施の形態１においては、入力検出部１２と検出周期制御部１３と表示制御部１４と受信データ処理部１５とをソフトウェアで実現可能に記述してＣＰＵ１９上で実行することによってそれぞれの動作を実現させているが、ＬＳＩなど論理回路によってそれぞれの機能を実現するようにしてもよい。
【００２９】
本体部５０は、無線通信処理部５１と、入力状態判定部５２と、受信データ処理部５３と、演算部５４と、表示監視部５５と、記憶部５６とを備えている。また、入力状態判定部５２と受信データ処理部５３と演算部５４と表示監視部５５とは、それぞれの機能がソフトウェアで実現可能に記述され、そのソフトウェアをＣＰＵ５９上で実行することによってそれぞれの動作が実現される構成としている。なお、このＣＰＵ５９は、入力部１０に備えられたＣＰＵ１９よりも高い処理能力を備えており、本情報処理装置における主な演算や情報処理などはこのＣＰＵ５９上でなされる。
【００３０】
本体部５０において、無線通信処理部５１は、上述したようにこれまで一般に知られている方法を用い、入力部１０から無線送信されてくる無線信号を受信してもとの信号に変換し、または、本体部５０から入力部１０に送信する信号を無線信号に変換して無線送信する。
【００３１】
入力状態判定部５２は、無線通信処理部５１によって受信されもとの信号に変換された入力部１０からの送信信号が所定の条件と合致するか否か判定し、それによって入力部１０におけるデータ入力の状態がタップによるものか手書きによるものかを判定する。この判定の動作に関する詳細は後述する。
【００３２】
受信データ処理部５３は、無線通信処理部５１によって受信されもとの信号に変換された入力部１０からの送信信号の中からユーザーによって入力された実行命令に関するデータを取り出し、そのデータを演算部５４に送る。これにより演算部５４は、入力部１０を操作するユーザーの所望する動作を実行する。
【００３３】
演算部５４は、受信データ処理部５３によって取り出されたユーザーからの実行命令に関するデータを受け、そのデータが指示する演算や情報処理などの動作を実行する。そして、その動作を実行した結果得られる情報を文字、数値および図形などの表示可能な画像データに変換し、入力部１０に表示するために無線通信処理部５１に送る。
【００３４】
表示監視部５５は、記憶部５６に記憶させた入力部１０に表示されている画像データ（１画面分）と、つぎに表示予定の画像データとを比較して変化分を検出し、その変化分だけを入力部１０へ送信するように無線通信処理部５１へ指示する。このとき、一般に知られているデータ圧縮技術を用いてデータを圧縮して送信するようにしてもよい。こうすることで、無線通信される画像データ量を削減することができるからである。また、変化分の検出後、表示予定の画像データは、そのつぎに表示予定の画像データと比較するために記憶部５６に記憶される。
【００３５】
なお、本発明の実施の形態１においては、入力状態判定部５２と受信データ処理部５３と演算部５４と表示監視部５５とをソフトウェアで実現可能に記述してＣＰＵ５９上で実行することによってそれぞれの動作を実現させているが、ＬＳＩなど論理回路によってそれぞれの機能を実現するようにしてもよい。
【００３６】
つぎに、入力状態判定部５２における、入力部１０のデータ入力の状態がタップによるものか手書きによるものかの判定に関する動作を説明する。図３は、本発明の実施の形態１における分離携帯型の情報処理装置１００に備えられた本体部５０の入力状態判定部５２における入力状態判定の動作を示すフローチャートである。
【００３７】
入力状態判定部５２は、入力部１０への入力の操作状態を示す入力状態フラグが、「タップ」による入力を示す「０」か、「手書き入力」を示す「１」かを判定する（Ｓ１１）。入力状態フラグが「０」であれば、入力状態判定部５２は、入力部１０から送信されてくる入力検出データが所定の回数以上連続して発生しているかどうかによって手書き入力かどうかを判定する手書き入力判定を行う。そして、入力部１０から送信されてくる入力検出データが、この判定条件を満たした場合、入力部１０におけるユーザー操作はタッチパネルを押圧したまま接触点を移動する、すなわち「手書き入力」であると判定する。本発明の実施の形態１では、入力検出データが３回以上連続して発生している場合に「手書き入力」であると判定する（Ｓ１２）。そして、「手書き入力」と判定された場合は、入力状態フラグを「タップ入力」の「０」から、「手書き入力」の「１」に変更し（Ｓ１３）、タッチパネル２０における入力検出の周期を設定する「検出周期切り換えデータ」を「１」にして（Ｓ１４）、無線通信処理部５１から入力部１０へと送信する（Ｓ２０）。ステップＳ１２において、入力検出データの連続して発生してした回数が３回未満であれば「手書き入力」ではないと判定して、入力状態フラグを「タップ」による入力を示す「０」に保持し（Ｓ１５）、タッチパネル２０における入力検出の周期を設定する「検出周期切り換えデータ」も「０」に保持したまま（Ｓ１６）、ステップＳ２０において、無線通信処理部５１から入力部１０へと送信する。
【００３８】
ステップＳ１３において、入力状態フラグが「１」であれば、入力状態判定部５２は、入力部１０から送信されてくる入力検出データが連続して発生していない回数を検出して手書き入力が終了したかどうかの手書き入力終了判定を行う。そして、入力部１０から送信されてくる入力検出データがこの判定条件を満たした場合、入力部１０におけるユーザー操作は手書き入力を終了したと判定する。本発明の実施の形態１では、入力検出データが３０回以上連続して発生していない場合に手書き入力を終了したと判定する（Ｓ１７）。そして、手書き入力を終了したと判定した場合は、ステップＳ１５において入力状態フラグを「手書き入力」の「１」から「タップ」による入力を示す「０」に変更し、ステップＳ１６において「検出周期切り換えデータ」を「０」に変更して、ステップＳ２０において無線通信処理部５１から入力部１０へと送信する。ステップＳ１７において、入力検出データが連続して発生していない回数が３０回未満であれば、手書き入力は終了していないと判定して、ステップＳ１３において入力状態フラグを「手書き入力」を示す「１」に保持し、ステップＳ１４において「検出周期切り換えデータ」も「１」に保持したまま、ステップＳ２０において、無線通信処理部５１から入力部１０へと送信する。
【００３９】
本発明の実施の形態１においては、このように、「タップ」による入力を検出する長い検出周期のときに所定の回数連続して入力検出データが発生した場合には「手書き入力」と判定して「手書き入力」を検出するための短い検出周期に切り換え、「手書き入力」を検出する短い検出周期のときに所定の回数連続して入力検出データが発生しない場合には「手書き入力」を終了したと判定して「タップ」による入力を検出するための長い検出周期に切り換える。そして、これら一連のフローを繰り返すことにより、入力部１０における入力検出の周期を制御する。
【００４０】
なお、本発明の実施の形態１では、入力部１０において押圧された（ｘ、ｙ）座標またはその座標に割り当てられたコマンドを送信しているので、本体部５０においてはその送信データの連続した発生回数を検出して手書き入力判定を行っている。また、手書き入力の終了判定においては、その判定が行われているとき検出周期切り換えデータは「１」となっており入力部１０では手書き入力を検出する短い検出周期で入力検出を行っているので、そのときの検出周期と所定の回数とを乗算した時間、本発明の実施の形態１では５ｍ秒と３０回とを乗算した１５０ｍ秒の間、入力検出データが発生していない場合に手書き入力が終了したと判定している。しかし、たとえば、入力部１０において、入力検出データが発生しない場合に（ｘ、ｙ）座標の代わりに「０」を送信する構成とし、本体部５０において、「０」が連続して発生した回数を検出する構成としても、手書き入力の終了判定を行うことができる。
【００４１】
図４は、本発明の実施の形態１における分離携帯型の情報処理装置１００に備えられた入力部１０の入力検出部１２における入力検出の様子を示す図である。図４において、横軸は時間を、矢印は入力検出が行われたことを表し、「○」はタッチパネル２０への押圧が検出されたことを表す。
【００４２】
図４（ａ）では、タッチパネル２０への入力操作がタップによるものと判定された場合を示している。このとき、検出周期切り換えデータは「０」であり、タッチパネル２０への押圧の検出も離散している。
【００４３】
図４（ｂ）では、タッチパネル２０への入力操作が手書きによるものと判定された場合を示している。図４（ｂ）では、検出周期切り換えデータが「０」のときに、タッチパネル２０への押圧が３回連続して検出されている。そこで、タッチパネル２０への操作が手書き入力によってなされていると判定され、検出周期切り換えデータが「１」に変更され、入力検出の周期が短くなっている。
【００４４】
図４（ｃ）では、タッチパネル２０への入力操作がタップによるものと判定された場合を示している。図４（ｃ）では、検出周期切り換えデータが「１」のときに、タッチパネル２０への押圧が３０回連続して検出されていない。そこで、タッチパネル２０への操作がタップによってなされていると判定され、検出周期切り換えデータは「０」に変更され、入力検出の周期が長くなっている。
【００４５】
すなわち、本発明の実施の形態１における本体部５０の入力状態判定部５２においては、入力部１０のデータ入力の状態がタップによるものか手書きによるものかの判定を行って「検出周期切り換えデータ」を「０」と「１」とで切り換え、入力部１０の検出周期制御部１３においては、タッチパネル２０における入力検出の周期を「検出周期切り換えデータ」にもとづいて切り換える。そして、タッチパネル２０への入力が「手書き入力」のときには、「検出周期切り換えデータ」を「１」にして入力検出の周期が短くなるように制御し、手書き入力された文字や図形の読み取り精度を上げ、タッチパネル２０への入力が「タップ」による入力のときには、「検出周期切り換えデータ」を「０」にして入力検出の周期が長くなるように制御し、分離携帯型の情報処理装置１００全体の処理に占める入力検出の割合を低減し、入力検出以外の処理、たとえば画像の表示に関する処理などの割合を高めて、操作性を向上させる。
【００４６】
図５は、本発明の実施の形態１における分離携帯型の情報処理装置１００に備えられた入力部１０におけるタッチパネル２０への表示および入力の例を示した図である。なお、図５では、荷物の配達業者が配達先で荷物の受け取りの証明にタッチパネル２０に手書き入力によって署名をもらう場合の表示および入力を例にして示している。
【００４７】
図５において、コマンド領域２０１では動作コマンドおよび入力可能なデータが表示され、タップによってそれらのコマンドおよびデータの入力操作が受付けられる。表示領域２０２では、コマンド領域２０１においてタップされたコマンドおよびデータが表示される。たとえば、荷物の受け取り日が「２００４年１０月３０日１３時」であり、荷物の配達業者に付与された担当者コードが「１２４３」であり、荷物の代金が「￥１２，３００」であれば、それらに相当するコマンド領域２０１をタップすることで、それらの内容が表示領域２０２に表示される。
【００４８】
手書き入力領域２０３では、手書き入力による署名が入力される。たとえば、荷物の配達業者は、荷物の受取人に、表示領域２０２に表示された内容に間違いがないかを確認してもらい、間違いがなければその証明として手書き入力領域２０３に手書き入力によって署名してもらう。
【００４９】
このとき、本発明の実施の形態１においては、上述したような構成により、タッチパネル２０の操作者がタップによる入力と手書き入力との切り換えを意識することなくタッチパネル２０への入力操作を行うことができるようになり、入力部における操作性の向上を実現することができる。
【００５０】
以上述べたように、本発明の実施の形態１によれば、処理能力の高いＣＰＵ５９を設置した本体部５０と本体部５０に無線接続された持ち運び自在の入力部１０とによって構成することで高い処理能力を発揮することができる分離携帯型の情報処理装置１００において、タッチパネル２０への入力がタップによるものか手書きによるものかを判断してタッチパネル２０における入力検出の周期を切り換えることで、入力部１０における操作性を向上した分離携帯型の情報処理装置を提供することができる。
【００５１】
なお、本発明の実施の形態１ではタッチパネルへの入力を専用の入力ペンを用いて行う構成を説明したが、この構成に限定するものではなく、指などによる入力であってもかまわない。
【００５２】
また、本発明の実施の形態１において記載した数値、たとえば入力検出の周期における「５ｍ秒」や「５０ｍ秒」といった周期、あるいは、手書き入力判定または手書き入力終了判定における「３回」「３０回」といった回数は、なんらこれらの数値に限定されるものではなく、本発明の目的とする効果が得られる範囲で、実際のシステムに合わせて設定することが望ましい。
【産業上の利用可能性】
【００５３】
本発明に係る情報処理装置によれば、入力部への入力が手書きによるものかタップによるものかを識別して入力を検出する周期を制御することで、操作性の向上を図ることが可能であるので、手書き入力機能を備えた分離携帯型の情報処理装置およびその制御方法として有用である。
【図面の簡単な説明】
【００５４】
【図１】本発明の実施の形態１における分離携帯型の情報処理装置の外観図
【図２】同分離携帯型の情報処理装置に備えられた本体部および入力部の構成を示すブロック図
【図３】同分離携帯型の情報処理装置に備えられた本体部の入力状態判定部における入力状態判定の動作を示すフローチャート
【図４】同分離携帯型の情報処理装置に備えられた入力部の入力検出部における入力検出の様子を示す図
【図５】同分離携帯型の情報処理装置に備えられた入力部におけるタッチパネルへの表示および入力の例を示した図
【符号の説明】
【００５５】
１０    入力部
１１，５１    無線通信処理部
１２    入力検出部
１３    検出周期制御部
１４    表示制御部
１５，５３    受信データ処理部
１６，５６    記憶部
１９，５９    ＣＰＵ
２０    タッチパネル
５０    本体部
５２    入力状態判定部
５４    演算部
５５    表示監視部
９０    入力ペン
１００    分離携帯型の情報処理装置
【図１】
2006154904.tif 000003
【図２】
2006154904.tif 000004
【図３】
2006154904.tif 000005
【図４】
2006154904.tif 000006
【図５】
2006154904.tif 000007